(57)【要約】【課題】省スペース化と施工性の向上を図るとともに、浴室などを空調した空調空気の漏洩を低減して熱効率を向上する。【解決手段】室内空間、例えば浴室側に開口した吸込口（５）から空気を吸い込んで浴室に開口した吹出口（６）から空気を吹き出す循環ファン（３）と、天井裏の空気を吸い込むための吸気口（１３）と、吸込口（５）から空気を吸い込んで屋外に排出する換気ファン（４）と、冷媒を圧縮する圧縮機（１８）、循環ファンにより送風される空気と冷媒を熱交換させる第１熱交換器（８）、冷媒を膨張させる膨張機構（１９）、換気ファン（４）により送風される空気と冷媒を熱交換させる第２熱交換器（１１）の順に冷媒が循環するように配管接続した冷媒回路（１７）を備え、第２熱交換器（１１）において屋外に排出される空気から冷媒が吸熱し、第１熱交換器（８）において浴室内を循環する空気に冷媒が放熱することによって浴室を暖房する。【選択図】図１
2008209045.tif 000002
【特許請求の範囲】
【請求項１】
浴室に開口した吸込口から空気を吸い込んで前記浴室に開口した吹出口から空気を吹き出す循環ファンと、天井裏の空気を吸い込むための吸気口と、前記吸気口から空気を吸い込んで屋外に排出する換気ファンと、冷媒を圧縮する圧縮機、次に前記循環ファンにより送風される空気と冷媒を熱交換させる第１熱交換器、次に冷媒を膨張させる膨張機構次に前記換気ファンにより送風される空気と冷媒を熱交換させる第２熱交換器の順に冷媒が循環するように配管接続した冷媒回路を備え、前記第２熱交換器において屋外に排出される空気から冷媒が吸熱し、前記第１熱交換器において前記浴室内を循環する空気に冷媒が放熱することによって前記浴室を暖房することを特徴とする、換気空調装置。
【請求項２】
冷媒の流れ方向を圧縮機、次に第２熱交換器、次に膨張機構、第１熱交換器の順番に切り換える流路切換弁を備え、前記第２熱交換器において前記換気ファンにより屋外に排出される空気に対して冷媒が放熱し、前記第一熱交換器において前記循環ファンにより浴室内を循環する空気から冷媒が吸熱することによって前記浴室を冷房することを特徴とする、請求項１記載の換気空調装置。
【請求項３】
吸込口と換気ファンとの間の第１の換気通路に設けた第１の開閉装置と、天井裏の空気の空気を吸い込むための吸気口に設けた第２の開閉装置とを備え、前記第１の開閉装置を開にし、前記第２の開閉装置を開にして換気ファンを駆動することにより浴室内の乾燥を行う請求項１記載の換気空調装置。
【請求項４】
吸込口と換気ファンとの間に設けた第１の開閉装置と天井裏の空気の空気を吸い込むための吸気口に設けた第２の開閉装置と第２の熱交換器を経由しない第２の換気通路に設けた第３の開閉装置とを備え、前記第１の開閉装置を開にし、前記第２の開閉装置を閉とし第３の開閉装置を開にして換気ファンを駆動することにより浴室内の換気を行う請求項１記載の換気空調装置。
【請求項５】
浴室に開口した吸込口から空気を吸い込んで浴室に開口した吹出口から空気を吹き出す循環ファンと、前記浴室以外の室内の空気を吸込む他室吸気口と天井裏の空気の吸い込むための吸気口から空気を吸い込んで屋外に排出する換気を行う換気ファンと、冷媒を圧縮する圧縮機、次に前記循環ファンにより送風される空気と冷媒を熱交換させる第１熱交換器、次に冷媒を膨張させる膨張機構、次に前記換気ファンにより送風される空気と冷媒を熱交換させる第２熱交換器の順に冷媒が循環するように配管接続した冷媒回路とを備え、前記第２熱交換器において屋外に排出される空気から冷媒が吸熱し、前記第１熱交換器において前記浴室内を循環する空気に冷媒が放熱することによって前記浴室内を暖房することを特徴とする、換気空調装置。
【請求項６】
冷媒の流れ方向を圧縮機、次に第２熱交換器、次に膨張機構、次に第１熱交換器の順番に切り換える流路切換弁を備え、前記第２熱交換器において前記換気ファンにより屋外に排出される空気に対して冷媒が放熱し、前記第一熱交換器において前記循環ファンにより浴室内を循環する空気から冷媒が吸熱することによって前記浴室を冷房することを特徴とする、請求項５記載の換気空調装置。
【請求項７】
吸込口と換気ファンとの間の第１の換気通路に設けた第１の開閉装置と、天井裏の空気の空気を吸い込むための吸気口に設けた第２の開閉装置とを備え、前記第１の開閉装置を開にし、前記第２の開閉装置を開にして換気ファンを駆動することにより浴室内の乾燥を行う請求項５記載の換気空調装置。
【請求項８】
吸込口と換気ファンとの間に設けた第１の開閉装置と天井裏の空気の空気を吸い込むための吸気口に設けた第２の開閉装置および第２の換気通路に設けた第３の開閉装置とを備え、前記第１の開閉装置を開にし、前記第２の開閉装置を閉とし第３の開閉装置を開にして換気ファンを駆動することにより浴室内の換気を行う請求項５記載の換気空調装置。
【請求項９】
第２の換気通路の近傍に吸気口を設け、第３の開閉装置を回動することにより暖房もしくは冷房と換気との風路の切り替えを行う請求項４または８に記載の換気空調装置。
【請求項１０】
第１の換気通路の近傍に吸気口を設け、第１の開閉装置を回動することにより暖房もしくは冷房と乾燥との風路の切り替えを行う請求項３または７に記載の換気空調装置。
【請求項１１】
換気ファンの排気風量が増加する時に連動する連動出力を設け、換気ファンが所定の風量以上になると、屋内に設置された排気と給気のバランスを取るための給気連動シャッターあるいは給気ファンを連動運転行う請求項１、２、３、５、６または７に記載の換気空調装置。
【発明の詳細な説明】
【技術分野】
【０００１】
本発明は、例えば、ヒートポンプを利用して浴室などの換気空調を行う換気空調装置に関する。
【背景技術】
【０００２】
従来のヒートポンプを利用した浴室などの換気空調装置としては、浴室以外から取り入れられた空気に対してヒートポンプの一方の熱交換器が放熱（または吸熱）を行い、その空気を浴室内に吹き出すとともに、ヒートポンプの他方の熱交換器が浴室から屋外に排出される空気に対して吸熱（または放熱）することで浴室を空調するものがある（例えば、特許文献１参照）。
【０００３】
また、ヒートポンプを室外機と室内機に分離し、室外機に設けた熱交換器において外気から吸熱（または放熱）を行い、室内機に設けた熱交換器において浴室の空気に放熱（または吸熱）することで浴室を空調するものもある（例えば、特許文献２参照）。
【特許文献１】特開２００５−１８０７１２号公報
【特許文献２】特開２００２−３４９９３０号公報
【発明の開示】
【発明が解決しようとする課題】
【０００４】
以上のようにヒートポンプを利用した浴室などの換気空調装置は、様々な形態のものが提案されている。特許文献１に例示される浴室空調装置は、浴室から屋外に排出される空気から熱を回収して浴室を空調するものであるが、熱交換器において排出空気の全ての熱量を回収することは不可能であるため、浴室を空調した熱（冷熱）の一部が屋外に漏洩することにより熱損失が生じ、熱効率が悪いという課題があった。
【０００５】
さらに浴室の暖房や冷房能力を向上するためには、浴室や他室から屋外に排出される空気の熱回収をより多くすることが必要になり、そのため他の部屋の換気風量が増加することにより、他の部屋にいる人が感じるドラフト感（寒気）が増したり、マンション等の機密性の高い建物では、建物全体またはトイレなどが屋外に空気を排出することで室内の圧力が低下（負圧）し、そのため玄関の扉やトイレの扉が開けずらくなるという課題があった。
【０００６】
また、特許文献１に例示される浴室空調装置は、浴室を空調した熱の漏洩は少ないが、ヒートポンプを浴室内と屋外に分離して設置しているため、室内外を接続するための冷媒配管工事が必要で施工性が悪くなり、また室外機の設置スペースも必要になるという課題があった。
【０００７】
本発明は上記従来の課題を解決するものであり、浴室などの１個の部屋の換気空調を行う換気空調装置において、省スペース化と施工性の向上を図ることができ、また、浴室などを空調した空気の漏洩も少なく熱効率を向上することができる換気空調装置を提供することを第１の目的としている。
【０００８】
また本発明は、冬期、浴室と他の複数の部屋の換気空調を行う換気空調装置において、浴室の換気を停止し、暖房運転を行った場合に、暖房能力の確保のためには屋外への排出空気を熱交換器が吸熱する量を増やす必要があり、すなわち排気風量を増やす必要があるため、他の部屋の換気風量が増加することによりその他の部屋にいる人が感じるドラフト感（寒気）を防止することを第２の目的としている。
【０００９】
また本発明は、浴室等を換気する場合において、屋外への排出する換気空気が熱交換器を通ることで、換気空調装置から発生する騒音を低減することを第３の目的としている。
【００１０】
また本発明は、暖房や冷房能力の確保のためには屋外への排出空気を熱交換器が吸熱する量を増やす必要があり、そのため機密性の高い建物（マンション等）では換気空調装置による排気により、玄関の扉やトイレの扉の開閉の支障を防止することを第４の目的としている。
【課題を解決するための手段】
【００１１】
上記した第１の目的を達成するために、本発明の換気空調装置は、本体内にヒートポンプを収納し、浴室内の空気を外部に漏らさずに循環して第１熱交換器で放熱もしくは吸熱を行い、天井裏から吸い込んだ空気により第２熱交換器で吸熱もしくは放熱した後に屋外に排出する構成にして、浴室内を暖房もしくは冷房するようにしたものである。
【００１２】
このことにより、浴室内を効率よく暖房もしくは冷房できる。
【００１３】
また、上記した第２の目的を達成するために、本発明の換気空調装置は、浴室以外の部屋を換気する機能を有する換気空調装置において、浴室を暖房する場合には、天井裏からも吸い込んだ空気を屋外に排出する構成にしたものである。
【００１４】
このことにより、暖房運転に熱交換器が必要な吸熱量を確保しつつ、たとえばトイレにいる人がドラフト感を感じることを防止するができる。
【００１５】
また、上記した第３の目的を達成するために、本発明の換気空調装置は、浴室を換気する場合には、浴室内の空気は第２熱交換器を経由せずに屋外に排出される構成にしたものである。
【００１６】
このことにより、換気ファンの負荷が低減し、従って換気空調装置が発生する騒音を低減できる。
【００１７】
また、上記した第４の目的を達成するために、本発明の換気空調装置は、換気ファンが所定の風量以上になると、屋内に設置された排気と給気のバランスを取るための給気連動シャッター（例えばレンジフード用）や給気ファンの連動運転行う構成にしたものである。このことにより、排気による玄関の扉やトイレの扉の開閉の支障を防止することができる。
【発明の効果】
【００１８】
本発明の換気空調装置によれば、浴室を空調した熱（冷熱）を屋外に漏洩させずに熱効率を向上することができるとともに、室内外を接続するための冷媒配管工事を不要にして省スペース化と施工性の向上を図ることができる。そして、天井裏からの吸気をすることは、天井裏の空気の温度は冬季には屋外の空気より高いので、より効率的に浴室の暖房ができ、吸気ダクト工事が不要である。
【００１９】
また、冬期に浴室で暖房運転を行った場合にトイレなどでのドラフト感を防止できる。
【００２０】
また、浴室の換気運転時の騒音を低減できる。
【００２１】
また、機密性の高い建物では排気による玄関の扉やトイレの扉の開閉の支障を防止することができる。
【発明を実施するための最良の形態】
【００２２】
本発明の請求項１記載の換気空調装置は、浴室に開口した吸込口（５）から空気を吸い込んで前記浴室に開口した吹出口（６）から空気を吹き出す循環ファン（３）と、天井裏の空気を吸い込むための吸気口（１３）と、吸気口（５）から空気を吸い込んで屋外に排出する換気ファン（４）と、冷媒を圧縮する圧縮機（１８）、循環ファン（３）により送風される空気と冷媒を熱交換させる第１熱交換器（８）、冷媒を膨張させる膨張機構（１９）、換気ファン（４）により送風される空気と冷媒を熱交換させる第２熱交換器（１１）の順に冷媒が循環するように配管接続した冷媒回路（１７）を備え、第２熱交換器（１１）において屋外に排出される空気から冷媒が吸熱し、第１熱交換器（８）において浴室内を循環する空気に冷媒が放熱することによって浴室を暖房することを特徴としている。
【００２３】
このことにより、省スペース化と施工性の向上した、暖房運転に第２熱交換器（１１）が必要な吸熱量を天井裏の吸気口（１３）より確保しつつ、浴室内の空気を屋外に排出することなく浴室内を効率よく暖房できる。
【００２４】
本発明の請求項２記載の換気空調装置は、請求項１記載の換気空調装置におおいて、冷媒の流れ方向を圧縮機（１８）、第２熱交換器（１１）、膨張機構（１９）、第１熱交換器（８）の順番に切り換える流路切換弁（２０）を備え、第２熱交換器（１１）において換気ファン（４）により屋外に排出される空気に対して冷媒が放熱し、第一熱交換器（８）において循環ファン（３）により浴室内を循環する空気から冷媒が吸熱することによって浴室を冷房することを特徴としている。
【００２５】
このことにより、省スペース化と施工性の向上した、冷房運転に第２熱交換器（１１）が必要な吸熱量を天井裏の吸気口（１３）より確保しつつ、浴室内の空気を屋外に排出することなく浴室内を効率よく冷房できる。
【００２６】
本発明の請求項３記載の換気空調装置は、請求項１記載の換気空調装置において、吸込口（５）と換気ファン（４）との間の第１の換気通路（１０）に設けた第１の開閉装置（１２）と、天井裏の空気の空気を吸い込むための吸気口（１３）に設けた第２の開閉装置（１４）とを備え、第１の開閉装置（１２）を開にし、第２の開閉装置（１４）を開にして換気ファン（４）を駆動することにより浴室内の乾燥を行うことを特徴としている。
【００２７】
このことにより、第２熱交換器（１１）が必要な吸熱量を天井裏の吸気口（１３）より確保しつつ、屋外に排出する浴室内の空気を少なくして浴室内を効率よく乾燥できる。
【００２８】
本発明の請求項４記載の換気空調装置は、請求項１記載の換気空調装置において、吸込口（５）と換気ファン（４）との間に設けた第１の開閉装置（１２）と天井裏の空気の空気を吸い込むための吸気口（１３）に設けた第２の開閉装置（１４）と第２の熱交換器（１１）を経由しない第２の換気通路（１５）に設けた第３の開閉装置（１６）とを備え、第１の開閉装置（１２）を開にし、第２の開閉装置（１４）を閉とし、第３の開閉装置（１６）を開にして換気ファン（４）を駆動することにより浴室内の換気を行うことを特徴としている。
【００２９】
このことにより、第２の熱交換器（１１）を経由することなく排気が行われるので換気ファン（４）の負荷が低減し、省エネルギーで、かつ運転音を低減できる。
【００３０】
本発明の請求項５記載の換気空調装置は、室内空間、例えば浴室側に開口した吸込口（５）から空気を吸い込んで浴室側に開口した吹出口（６）から空気を吹き出す循環ファン（３）と、浴室以外の室内の空気を吸込む他室吸気口（２８、２９）と天井裏の空気の空気を吸い込むための吸気口（１３）とから空気を吸い込んで屋外に排出する換気を行う換気ファン（４）と、冷媒を圧縮する圧縮機（１８）、循環ファン（３）により送風される空気と冷媒を熱交換させる第１熱交換器（８）、冷媒を膨張させる膨張機構（１９）、換気ファン（４）により送風される空気と冷媒を熱交換させる第２熱交換器（１１）の順に冷媒が循環するように配管接続した冷媒回路（１７）とを備え、第２熱交換器（１１）において屋外に排出される空気から冷媒が吸熱し、第１熱交換器（８）において浴室内を循環する空気に冷媒が放熱することによって浴室内を暖房することを特徴としている。
【００３１】
このことにより、暖房運転に第２熱交換器（１１）が必要な吸熱量を吸気口（１３）より確保しつつ、換気空調装置の換気ファン（４）による暖房運転時と換気運転時とで、トイレや脱衣室からの他室吸気口（２８）、（２９）からの変化することがなく、トイレなどでのドラフト感をなくして、浴室内の空気を屋外に排出することなく浴室内を効率よく暖房すことができる。
【００３２】
本発明の請求項６記載の換気空調装置は、請求項５記載の換気空調装置におおいて、冷媒の流れ方向を圧縮機（１８）、第２熱交換器（１１）、膨張機構（１９）、第１熱交換器（８）の順番に切り換える流路切換弁（２０）を備え、第２熱交換器（１１）において換気ファン（４）により屋外に排出される空気に対して冷媒が放熱し、第一熱交換器（８）において循環ファン（３）により浴室内を循環する空気から冷媒が吸熱することによって浴室を冷房することを特徴としている。
【００３３】
このことにより、省スペース化と施工性の向上した、冷房運転に第２熱交換器（１１）が必要な吸熱量を吸気口（１３）より確保しつつ、換気空調装置の換気ファン（４）による冷房運転時と換気運転時とで、トイレや脱衣室からの他室吸気口（２８）、（２９）からの変化することがなく、浴室内の空気を屋外に排出することなく浴室内を効率よく冷房できる。
【００３４】
本発明の請求項７記載の換気空調装置は、請求項５記載の換気空調装置において、吸込口（５）と換気ファン（４）との間の第１の換気通路（１０）に設けた第１の開閉装置（１２）と、天井裏の空気の空気を吸い込むための吸気口（１３）に設けた第２の開閉装置（１４）とを備え、第１の開閉装置（１２）を開にし、第２の開閉装置（１４）を開にして換気ファン（４）を駆動することにより浴室内の乾燥を行うことを特徴としている。
【００３５】
このことにより、省スペース化と施工性の向上した、第２熱交換器（１１）が必要な吸熱量を天井裏の吸気口（１３）より確保しつつ、換気空調装置の換気ファン（４）による乾燥運転時と換気運転時とで、トイレや脱衣室からの他室吸気口（２８）、（２９）からの変化することがなく、屋外に排出する浴室内の空気を少なくして浴室内を効率よく乾燥できる。
【００３６】
本発明の請求項８記載の換気空調装置は、請求項５記載の換気空調装置において、吸込口（５）と換気ファン（４）との間に設けた第１の開閉装置（１２）と天井裏の空気の空気を吸い込むための吸気口（１３）に設けた第２の開閉装置（１４）と第２の熱交換器（１１）を経由しない第２の換気通路（１５）に設けた第３の開閉装置（１６）とを備え、第１の開閉装置（１２）を開にし、第２の開閉装置（１４）を閉とし、第３の開閉装置（１６）を開にして換気ファン（４）を駆動することにより浴室内の換気を行うことを特徴としている。
【００３７】
このことにより、第２熱交換器（１１）を経由することなく排気が行われるので換気ファン（４）の負荷が低減し、省エネルギーで、かつ運転音を低減できる。
【００３８】
本発明の請求項９記載の換気空調装置は、請求項４もしくは８記載の換気空調装置において、第２の換気通路（１５）の近傍に吸気口（１３）を設け、第３の開閉装置（１６）を回動することにより暖房もしくは冷房と換気との風路の切り替えを行うことを特徴としている。
【００３９】
このことにより、換気空調装置の構成を簡素化できる。
【００４０】
本発明の請求項１０記載の換気空調装置は、請求項３もしくは７記載の換気空調装置において、第１の換気通路（１０）の近傍に吸気口（１３）を設け、第１の開閉装置（１２）を回動することにより暖房もしくは冷房と乾燥との風路の切り替えを行うことを特徴としている。
【００４１】
このことにより、換気空調装置の構成を簡素化できる。
【００４２】
本発明の請求項１１記載の換気空調装置は、請求項１、２、３、５、６または７記載の換気空調装置において、換気ファン（４）の排気風量が増加する時に連動する連動出力（４１）を設け、換気ファン（４）が所定の風量以上になると、屋内に設置された排気と給気のバランスを取るための給気連動シャッター（例えばレンジフード用）あるいは／および給気ファンとの連動運転行うを特徴としている。
【００４３】
このことにより、機密性の高い建物での玄関の扉やトイレの扉の開閉の支障を防止することができる。
【００４４】
以下、本発明の実施の形態について、図面を参照しながら説明する。
【００４５】
（実施の形態１）
本発明の実施の形態１について図１〜２に基づいて図７を参照しながら説明する。図１は、本実施形態にかかる換気空調装置の風路構成と冷媒回路を示す図で、上方が天井、下方が浴室等である。図２は図１の要部の動作状態を示す図である。
【００４６】
図１において、天井１に設置された換気空調装置は、本体２を仕切り２ａで２分し、左方の空間に循環ファン３、右方空間に換気ファン４を配している。
【００４７】
左方空間の循環ファン３が駆動したときには、吸込口５から吹出口６に向かう循環風路７が形成され、この循環風路７に第１の熱交換器８が設置されている。
【００４８】
右方空間の換気ファン４が駆動したときには、吸込口５から排気ダクト９に向かう第１の換気風路１０が形成され、この第１の換気風路１０の換気ファン４の上流側に第２熱交換器１１を配している。
【００４９】
なお、この右方空間には第１の開閉装置１２と、本体２に設けた吸気口１３と、これを開閉する第２の開閉装置１４と、第２の換気通路１５と、これを開閉する第３の開閉装置１６を備えている。
【００５０】
また、本体２の内部に、冷媒として例えば、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等の自然冷媒などの何れかを充填した冷媒回路１７を形設しており、この冷媒回路１７中に、冷媒を圧縮する圧縮機１８、供給空気と冷媒とを熱交換させる前述の第１熱交換器８、冷媒を膨張させる電子式膨張弁からなる膨張機構１９、供給空気と冷媒とを熱交換させる前述の第２熱交換器１１を介設している。この冷媒回路１７には、圧縮機１８で圧縮された冷媒が第１熱交換器８、膨張機構１９、第２熱交換器１１の順に流れて再び圧縮機１８に戻る経路（以下、暖房サイクル）と、圧縮機１８で圧縮された冷媒が第２熱交換器１１、膨張機構１９、第１熱交熱交換器８の順に流れて再び圧縮機１８に戻る経路（以下、冷房サイクル）とを切り換えるための流路切換弁２０が介設されている。
【００５１】
また、第１熱交換器８の冷媒が流れる配管中には開閉弁２１とキャピラリーチューブ２２で構成される減圧手段２３を介設しており、第１熱交換器８は、流路切換弁２０が冷媒の流れ方向を実線で示す方向、即ち暖房サイクルに切り換えた場合に循環ファン３により循環する浴室の空気が第１熱交換器８の減圧手段２３の下流側を流れる冷媒と熱交換した後に減圧手段２３の上流側を流れる冷媒と熱交換を行うように形設されている。
【００５２】
次に換気空調装置の運転動作について説明する。図７は各運転パターンにおける動作状態を示す図である。図に示した一覧表は換気空調装置の各運転パターンを列方向に順に記載しており、その各々の運転パターンにおける主要構成要素の動作状態を行方向に記載している。
【００５３】
この換気空調装置は、一覧表に示すように「常時換気運転」、「乾燥運転」、「浴室冷房運転」、「入浴暖房運転」の４種類の運転パターンを実行する場合を示している。
【００５４】
「常時換気運転」は、建築基準法に定められた建物の換気量確保のため、浴室等を２４時間連続して換気運転を実行する運転パターンであり、この運転時は、換気ファン４を「弱ノッチ」にし、図２（ａ）に示すように第１の換気通路１０に設けた第１の開閉装置１２と第２の換気通路１５に設けた第３の開閉装置１６とを「開放位置」に設定し、その他の主要構成要素、即ち、循環ファン３、圧縮機１８を「停止」状態にして換気ファン４を運転する。開閉装置としては、開閉できればよく、例えば、ダンパーなどがある。
【００５５】
この結果、浴室、第２の換気通路１５、排気ダクト９に至る、第２の熱交換器１１を経由しない排気流２４が発生する。
【００５６】
したがって浴室空間の空気は屋外に排出され、新たな空気が浴室のギャラリ等から進入して浴室の換気が行われることになる。
【００５７】
排気流２４が第２熱交換器１１を経由しないので換気ファン４の運転負荷が軽くなり、従って省エネルギーで、かつ、換気運転時の静音化が図れる。
【００５８】
次に「乾燥運転」時の運転動作について説明する。
【００５９】
「乾燥運転」は、浴室内に洗濯物を干して乾かす衣類乾燥を行う場合に選択される運転パターンである。この「乾燥運転」を実行する場合は、換気ファン４を「常時換気運転」時よりも風量が多い「強ノッチ」にし、図２（ｂ）に示すように第１の換気通路１０に設けた第１の開閉装置１２と吸気口１３に設けた第２の開閉装置１４とを「開放位置」にして換気ファン４を運転する。
【００６０】
この運転により、天井裏、吸気口１３、第２熱交換器１１、排気ダクト９に至る排気流２５と、浴室、吸込口５，第２熱交換器１１、排気ダクト９に至る排気流２６とが発生する。
【００６１】
そして、循環ファン３を使用者が設定した風量で運転させ、流路切換弁２０を「暖房サイクル側」、膨張機構１９の電子式膨張弁の開度を所定開度、第１熱交換器８の冷媒配管途中に介在する開閉弁２１を「開放状態」にした状態で圧縮機１８を運転させる。
【００６２】
このように運転することにより、圧縮機１８で圧縮された高温高圧の冷媒が暖房サイクル側に設定されている流路切換弁２０を通り、第一熱交換器８に導かれる。第１熱交換器８には循環ファン３が運転しているため、吸込口５から本体２内に吸い込まれた浴室の空気が供給される。また、第１熱交換器８の冷媒配管途中に位置する開閉弁２１は、開放状態に設定されているため、第１熱交換器８に流入した高温高圧の冷媒は極端な減圧作用を受けずに第１熱交換器８を通過する。この過程で第１熱交換器８に供給される浴室の空気との熱交換が行われて冷媒が放熱する。
【００６３】
この放熱により空気は加熱されて吹出口６から浴室に吹き出される。第１熱交換器８で放熱した冷媒は、膨張機構１９に導かれて所定開度に設定されている電子式膨張弁を通過する際に減圧膨張して第２熱交換器１１に導かれる。
【００６４】
第２熱交換器１１は前述の排気流２５、２６から吸熱する。第２熱交換器１１で吸熱した冷媒は、流路切換弁２０を通って圧縮機１８に戻り、冷媒回路１７を循環する。一方、第２熱交換器１１に供給された空気は、冷媒の吸熱にされてエンタルピーが低下した後、排気ダクト９から屋外に排出される。
【００６５】
以上の乾燥運転を実行して浴室内に洗濯物を干すと、第１熱交換器８で加熱された高温空気が浴室内を循環して洗濯物からの水分蒸発を促す。洗濯物から蒸発した水分は、浴室の空気に含まれて換気ファン４により本体２内に吸い込まれ、第２熱交換器１１で熱を回収された後、屋外に排出される。この第２熱交換器１１には更に常時換気運転時よりも多量の空気が供給されているため冷媒の吸熱量が増加し、浴室への放熱量も増加するため洗濯物の乾燥が速やかに行われることになる。
【００６６】
次に「浴室冷房運転」時の運転動作について説明する。
【００６７】
「冷房運転」は、夏場などの高温時に在室者が浴室内の温度を下げて快適な入浴や清掃作業が行えるように浴室を冷房する場合に選択される運転パターンである。
【００６８】
この「冷房運転」を実行する場合は、換気ファン４を「常時換気運転」時よりも風量が多い「強ノッチ」にし、図２（ｃ）に示すように第１の換気通路１０に設けた第１の開閉装置１２と第２の換気通路１５に設けた第３の開閉装置１６とを「閉鎖状態」にし、吸気口１３に設けた第２の開閉装置１４を「開放位置」にして換気ファン４を運転する。
【００６９】
この運転により、天井裏、吸気口１３、第２熱交換器１１、排気ダクト９に至る排気流２７が発生する。
【００７０】
また、循環ファン３を使用者が設定した風量で運転させる「所定ノッチ」に設定し、圧縮機１８を運転させる。また、流路切換弁２０を「冷房サイクル側」、膨張機構１９の電子式膨張弁の開度を所定開度、第１熱交換器８の冷媒配管途中に介在する開閉弁２１が「開放状態」で運転される。
【００７１】
このような運転を行うことにより、圧縮機１８で圧縮された高温高圧の冷媒が冷房サイクル側に設定されている流路切換弁２０を通り、第２熱交換器１１に導かれる。第２熱交換器１１は、前述の排気流２７に対して放熱する。第２熱交換器１１において冷媒の放熱により高温となった空気は排気ダクト９を通って屋外に排出される。
【００７２】
一方、第２熱交換器１１で放熱した冷媒は、膨張機構１９に導かれて所定開度に設定されている電子式膨張弁を通過する際に減圧膨張し、第１熱交換器８に導かれる。第１熱交換器８には、循環ファン３が所定ノッチで運転しているため、吸込口５から本体２内に吸い込まれた浴室の空気が供給され、冷媒が供給される浴室の空気から吸熱する。第１熱交換器８で吸熱した冷媒は、流路切換弁２０を通って圧縮機１８に戻り、冷媒回路１７を循環する。
【００７３】
一方、第１熱交換器８に供給された空気は冷媒の吸熱により低温となって吹出口６から浴室に戻る。このような空気循環を繰り返すことにより浴室内の温度が低下して冷房される。また、第１の換気通路１０に位置する第１の開閉装置１２が閉鎖位置に設定されているため、循環風路７において冷却された低温空気が浴室外部に排出されることなく空調効率の低下が抑制されることになる。
【００７４】
次に「入浴暖房運転」時の運転動作について説明する。「入浴暖房運転」は、冬場等の気温の低い季節に浴室の洗い場で体を洗う際に入浴者が寒さを感じずに快適に入浴できるように浴室内を暖房する場合に選択される運転パターンである。
【００７５】
この「入浴暖房運転」を実行する場合は、換気ファン４を「常時換気運転」時よりも風量が多い「強ノッチ」にし、前述の冷房運転で説明した図２（ｃ）にして換気ファン４を運転する。また、流路切換弁２０を「暖房サイクル側」にして他の構成要素は冷房運転と同じにして圧縮機１８を駆動する。
【００７６】
このような運転を行うことにより、圧縮機１８で圧縮された高温高圧の冷媒が暖房サイクル側に設定されている流路切換弁２０を通り、第１熱交換器８に導かれる。第１熱交換器８には循環ファン３が所定ノッチで運転しているため、吸込口５から本体２内に吸い込まれた浴室の空気が供給される。また、第１熱交換器８の冷媒配管途中に位置する開閉弁２１は、開放状態に設定されているため、第１熱交換器８に流入した高温高圧の冷媒は減圧作用を受けずに第１熱交換器８を通過する。この過程で第１熱交換器８に供給される浴室の空気との熱交換が行われて冷媒が放熱する。この放熱により空気は加熱されて吹出口６から浴室に吹き出される。
【００７７】
一方、第１熱交換器８で放熱した冷媒は、膨張機構１９に導かれて所定開度に設定されている電子式膨張弁を通過する際に減圧膨張し第２熱交換器１１に導かれる。第２熱交換器１１には前述の天井裏からの排気流２７から供給空気から吸熱する。
【００７８】
第２熱交換器１１で吸熱した冷媒は、流路切換弁２０を通って圧縮機１８に戻り、冷媒回路１７を循環する。一方、第２熱交換器１１に供給された排気流２７は、冷媒に吸熱されてエンタルピーが低下した後、排気ダクト９から屋外に排出される。
【００７９】
このような運転動作を行うことにより浴室内の温度は上昇し、浴室暖房が行われる。また、第１の換気通路１０に位置する第１の開閉装置１２が閉鎖位置に設定されているため、循環風路７において加熱された高温空気が浴室の外部に排出されることなく空調効率の低下が抑制されることになる。
【００８０】
（実施の形態２）
本発明の実施の形態２について図３〜４に基づいて図７を参照しながら説明する。実施の形態１と同一部分は同一番号を附し詳細な説明は省略する。本実施の形態は、浴室以外にも換気ができる多室換気形の換気空調装置に関わるもので、図３は換気空調装置の風路構成と冷媒回路を示す図である。上方が天井、下方が浴室等である。図４は図３の要部の動作状態を示す図である。
【００８１】
本実施の形態の換気空調装置の冷媒回路の構成は、実施の形態１と全く同じ構成である。また、装置の構成も一部を除き実施の形態と同じであるので、実施の形態１と同一の符号、１〜２３については説明を省略する。
【００８２】
他室吸気口２８及び他室吸気口２９は、例えばトイレと洗面所に連結し、換気ファン４の駆動によりトイレと洗面所の空気を吸気し排気ダクト９を介して屋外に排出する。
【００８３】
「常時換気運転」時の運転動作は、換気ファン４を「弱ノッチ」にし、図４（ａ）に示すように第１の換気通路１０に設けた第１の開閉装置１２と第２の換気通路１５に設けた第３の開閉装置１６とを「開放位置」に設定し、その他の主要構成要素、即ち、循環ファン３、圧縮機１８、を「停止」状態にして換気ファン４を運転する。
【００８４】
この結果、トイレおよび洗面所から他室吸気口２８、他室吸気口２９、第２の換気通路１５、排気ダクト９に至る排気流３０と、浴室から第２の換気通路１５、排気ダクト９に至る排気流３１とが発生する。
【００８５】
上記のいずれの排気流も屋外に排出され、浴室、トイレ、洗面所の換気が行われる。
【００８６】
図で明らかなように換気は、第２熱交換器１１を経由しないので換気ファン４の運転負荷が軽くなり、従って省エネルギーで、かつ、換気運転時の静音化が図れる。
【００８７】
常時は、換気運転が行われているが、使用者が浴室の他の運転を選択した場合の動作について説明する。
【００８８】
次に「乾燥運転」時の運転動作について説明する。
【００８９】
「乾燥運転」は、浴室内に洗濯物を干して乾かす衣類乾燥を行う場合に選択される運転パターンである。この「乾燥運転」を実行する場合は、換気ファン４を「常時換気運転」時よりも風量が多い「強ノッチ」にし、図４（ｂ）に示すように第１の換気通路１０に設けた第１の開閉装置１２と吸気口１３に設けた第２の開閉装置１４とを「開放位置」にして換気ファン４を運転する。
【００９０】
この運転により、トイレおよび洗面所から他室吸気口２８，２９、第２熱交換器１１、排気ダクト９に至る排気流３２と、天井裏、吸気口１３、第２熱交換器１１、排気ダクト９に至る排気流３３と、浴室、吸込口５，第２熱交換器１１、排気ダクト９に至る排気流３４とが発生する。
【００９１】
一方、流路切換弁２０は暖房サイクル側に設定され、実施の形態１の「乾燥運転」と同じ運転を行い、乾燥運転が行われる。
【００９２】
以上の乾燥運転を実行して浴室内に洗濯物を干すと、第１熱交換器８で加熱された高温空気が浴室内を循環して洗濯物からの水分蒸発を促す。洗濯物から蒸発した水分は、浴室の空気に含まれて換気ファン４により本体２内に吸い込まれ、第２熱交換器１１で熱を回収された後、屋外に排出される。この第２熱交換器１１には更に常時換気運転時よりも多量の空気が供給されているため冷媒の吸熱量が増加し、浴室への放熱量も増加するため洗濯物の乾燥が速やかに行われることになる。
【００９３】
次に「浴室冷房運転」時の運転動作について説明する。
【００９４】
「浴室冷房運転」は、換気ファン４を「常時換気運転」時よりも風量が多い「強ノッチ」にし、図４（ｃ）に示すように第１の換気通路１０に設けた第１の開閉装置１２と第２の換気通路１５に設けた第３の開閉装置１６とを「閉鎖状態」にし、吸気口１３に設けた第２の開閉装置１４を「開放位置」にして換気ファン４を運転する。
【００９５】
この運転により、トイレおよび洗面所から他室吸気口２８，２９、第２熱交換器１１、排気ダクト９に至る排気流３５と、天井裏から吸気口１３、第２熱交換器１１、排気ダクト９に至る排気流３６とが発生する。
【００９６】
一方、流路切換弁２０は冷房サイクル側に設定され、実施の形態１の「入浴冷房運転」と同じ運転を行い、浴室冷房が行われる。
【００９７】
本実施の形態でも実施の形態１と同様に、第１の換気通路１０に位置する第１の開閉装置１２が閉鎖位置に設定されているため、循環風路７において冷却された低温空気が浴室の外部に排出されることなく空調効率の低下が抑制されることになる。
【００９８】
また、浴室を換気運転から入浴冷房運転に切り替えた場合に、第１の開閉装置１２が閉錯されるにも関わらず、第２の開閉装置１４を開放にして天井裏からの吸気を行うので、冷房運転に第２熱交換器１１が必要な吸熱量を吸気口１３より確保しつつ、トイレや洗面所からの吸気量が変動しない。このためトイレや洗面所の扉の開閉に支障がなくなる。
【００９９】
「入浴暖房運転」は、換気ファン４を「常時換気運転」時よりも風量が多い「強ノッチ」にし、図４（ｃ）に示すように第１の換気通路１０に設けた第１の開閉装置１２と第２の換気通路１５に設けた第３の開閉装置１６とを「閉鎖状態」にし、吸気口１３に設けた第２の開閉装置１４を「開放位置」にして換気ファン４を運転する。
【０１００】
この運転により、トイレおよび洗面所から他室吸気口２８，２９、第２熱交換器１１、排気ダクト９に至る排気流３５と、天井裏から吸気口１３、第２熱交換器１１、排気ダクト９に至る排気流３６とが発生する。
【０１０１】
一方、流路切換弁２０は暖房サイクル側に設定され、実施の形態１の「入浴暖房運転」と同じ運転を行い、浴室暖房が行われる。
【０１０２】
本実施の形態でも実施の形態１と同様に、第１の換気通路１０に位置する第１の開閉装置１２が閉鎖位置に設定されているため、循環風路７において加熱された高温空気が浴室の外部に排出されることなく空調効率の低下が抑制されることになる。
【０１０３】
また、浴室を換気運転から入浴暖房運転に切り替えた場合に、第１の開閉装置１２が閉錯されるにも関わらず、第２の開閉装置１４を開放にして天井裏からの吸気を行うので、暖房運転に第２熱交換器１１が必要な吸熱量を吸気口１３より確保しつつ、トイレや洗面所からの吸気量が変動しない。このためトイレや洗面所に居る人がドラフト感を感じることがなく、トイレや洗面所の扉の開閉に支障がなくなる。
【０１０４】
（実施の形態３）
本発明の実施の形態３について図５を用いて説明する。実施の形態１、２と同一部分は同一番号を附し詳細な説明は省略する。
【０１０５】
本実施の形態は、実施の形態１及び２における暖房もしくは冷房運転時と換気運転時の風路構成に関わるもので、図５はその風路構成を示す図である。
【０１０６】
図５において、第２の換気通路１５に近接して吸気口１３を設け、第３の開閉装置１６を回動することにより暖房もしくは冷房と換気との風路の切り替えを行う構成としている。
【０１０７】
すなわち、暖房もしくは冷房運転の場合は、図５（ａ）に示すように第１の開閉装置１２を閉鎖状態にした上で、図示の排気流３７が天井裏から、第２熱交換器１１、排気ダクト９に至るように第３の開閉装置１６の位置を制御する。
【０１０８】
換気運転の場合は、図５（ｂ）に示すように第１の開閉装置１２を開放状態にした上で、図示の排気流３８が浴室から、第２の換気通路１５、排気ダクト９に至るように第３の開閉装置１６の位置を制御する。
【０１０９】
このように構成することで、前述した実施の形態１及び２における第２の開閉装置１４をなくすことができ、換気空調装置の構成を簡素化できる。
【０１１０】
（実施の形態４）
本発明の実施の形態４について図６を用いて説明する。実施の形態１乃至３と同一部分は同一番号を附し詳細な説明は省略する。
【０１１１】
本実施の形態は、実施の形態１における暖房もしくは冷房運転時と乾燥運転時の風路構成に関わるもので、図６その風路構成を示す図である。
【０１１２】
図６において、第１の開閉装置１２に近接して吸気口１３を設け、第１の開閉装置１２を回動することにより暖房もしくは冷房と換気との風路の切り替えを行う構成としている。
【０１１３】
すなわち、暖房もしくは冷房運転の場合は、図６（ａ）に示すように第１の開閉装置１２を閉鎖状態にするとともに、図示の排気流３９が天井裏から、吸気口１３、第２熱交換器１１、排気ダクト９に至るように第１の開閉装置１２の位置を制御する。
【０１１４】
乾燥運転の場合は、図６（ｂ）に示すように第１の開閉装置１２を開放状態にするとともに、図示の排気流４０が浴室から、第２熱交換器１１、排気ダクト９に至るように第１の開閉装置１２の位置を制御する。
【０１１５】
このように構成することで、換気空調装置の構成を簡素化できる。
【０１１６】
なお、実施の形態１〜４に記載の換気ファン４の風量ノッチを複数段階にした場合や第１の開閉装置１２、第２の開閉装置１４、第３の開閉装置１６のそれぞれを開閉量の調整できるダンパーモーターを用いても良い。
【０１１７】
また、換気ファン４の風量ノッチと第１の開閉装置１２、第２の開閉装置１４、第３の開閉装置１６の開度を組み合わせることで、暖房、冷房、乾燥運転に最適な第２熱交換器１１が必要な吸熱量を各吸気口より確保することができる。
【０１１８】
（実施の形態５）
本発明の実施の形態５について図８を用いて説明する。実施の形態１乃至４と同一部分は同一番号を附し詳細な説明は省略する。
【０１１９】
本実施の形態は、実施の形態１〜４に記載の換気空調装置の換気ファン４の排気風量が増加する時に連動する有電圧または無電圧接点の連動出力４１を設けた構成とする。この連動出力４１は換気空調装置の換気ファン４が所定の風量以上（例えば強ノッチ）になると、屋内に設置された排気と給気のバランスを取るための給気連動シャッター（例えばレンジフード用）や給気ファンを連動運転させ、換気ファン４が所定の風量以下（例えば弱ノッチや停止）になると連動運転を停止させる。
【０１２０】
このことにより、機密性の高い建物では換気空調装置の換気ファンの排気による静圧バランスのくずれを給気ファン等でバランスを補うことで、玄関の扉やトイレの扉の開閉の支障を防止することができる。
【産業上の利用可能性】
【０１２１】
以上のように本発明にかかる換気空調装置は、省スペース化と施工性の向上を図ることができ、また、空調空気の漏洩を低減して熱効率を向上することができるものであり、浴室の換気空調のみならず、リビング、寝室、キッチンあるいは洗面所等の換気空調装置などにも適用することができる。
【図面の簡単な説明】
【０１２２】
【図１】本発明の実施の形態１に係る換気空調装置の風路構成及び冷媒回路を示す図
【図２】同換気空調装置の運転動作の風路構成を示す風路構成図（（ａ）同換気運転の風路構成を示す風路構成図、（ｂ）同乾燥運転の風路構成を示す風路構成図、（ｃ）同暖房・冷房運転の風路構成を示す風路構成図）
【図３】本発明の実施の形態２に係る換気空調装置の風路構成図及び冷媒回路図
【図４】同換気空調装置の運転動作の風路構成を示す風路構成図（（ａ）同換気運転の風路構成を示す風路構成図、（ｂ）同乾燥運転の風路構成を示す風路構成図、（ｃ）同暖房・冷房運転の風路構成を示す風路構成図）
【図５】本発明の実施の形態３に係る風路構成を示す風路構成図（（ａ）同暖房・冷房運転の風路構成を示す風路構成図、（ｂ）同換気運転の風路構成を示す風路構成図）
【図６】本発明の実施の形態４に係る風路構成を示す風路構成図（（ａ）同暖房・冷房運転の風路構成を示す風路構成図、（ｂ）同換気運転の風路構成を示す風路構成図）
【図７】本発明の換気空調装置の各運転パターンにおける動作状態を示す図
【図８】本発明の換気空調装置の連動出力を示す図
【符号の説明】
【０１２３】
２    本体
３    循環ファン
４    換気ファン
５    吸込口
６    吹出口
７    循環風路
８    第１熱交換器
９    排気ダクト
１０  第１の換気通路
１１  第２熱交換器
１２  第１の開閉装置
１３  吸気口
１４  第２の開閉装置
１５  第２の換気通路
１６  第３の開閉装置
１７  冷媒回路
１８  圧縮機
１９  膨張機構
２０  流路切換弁
２１  開閉弁
２２  キャピラリーチューブ
２３  減圧手段
２８  他室吸気口
２９  他室吸気口
４１  連動出力
【図１】
2008209045.tif 000003
【図２】
2008209045.tif 000004
【図３】
2008209045.tif 000005
【図４】
2008209045.tif 000006
【図５】
2008209045.tif 000007
【図６】
2008209045.tif 000008
【図７】
2008209045.tif 000009
【図８】
2008209045.tif 000010